(57)【特許請求の範囲】
【請求項１】
撮影画像メディアからプレジャッジ用画像情報を取得し、当該プレジャッジ用画像情報に基づいて得られるプレジャッジ用画像データからプリント出力画像に対応するシミュレート画像をモニタに表示するために用いられるシミュレート画像データを生成するシミュレート画像生成部と、モニタに表示されたシミュレート画像を見ながら画像補正処理を設定する補正管理部と、この画像補正処理を前記撮影画像メディアから取得されたプリント用画像データに対して行うことで所望の写真プリントを作製する写真プリント装置において、
前記プレジャッジ用画像情報と前記設定された画像補正処理を定義する画像処理コマンド履歴データと前記プリント用画像データとを組み合わせて再プレジャッジプリントファイルを作成するフォーマッター部が備えられ、前記再プレジャッジプリントファイルが読み込まれた際に、当該再プレジャッジプリントファイルから得られる前記プレジャッジ用画像データに対して画像処理コマンド履歴データにより定義された前記画像補正処理を適用したシミュレート画像をモニタに再現するとともに前記画像補正処理の再設定を可能にすることを特徴とする写真プリント装置。
【請求項２】
前記撮影画像メディアが写真フィルムであり、前記プレジャッジ用画像情報にはフィルム属性データとコマ位置データと前記写真フィルムの低解像度スキャン画像データが含まれており、前記コマ位置データを用いて前記低解像度スキャン画像データをコマ単位に切り出して前記プレジャッジ用画像データを生成することを特徴とする請求項１に記載の写真プリント装置。
【請求項３】
前記撮影画像メディアがデジタルカメラの撮影画像メモリであり、前記プレジャッジ用画像情報にはカメラ属性データと前記プレジャッジ用画像データとしての低解像度画像データが含まれていることを特徴とする請求項１に記載の写真プリント装置。
【請求項４】
前記シミュレート画像データからインデックスプリント用画像データが作成されるとともに、このインデックスプリント用画像データが前記再プレジャッジプリントファイルに組み込まれることを特徴とする請求項１〜３のいずれかに記載の写真プリント装置。
【発明の詳細な説明】
【０００１】
【発明の属する技術分野】
本発明は、プリント出力画像に対応するシミュレート画像をモニタに表示するために用いられるシミュレート画像データを写真フィルムやスマートメディアなどの撮影画像メディアより取得されたプレジャッジ用画像情報から生成するシミュレート画像生成部と、モニタに表示されたシミュレート画像を見ながら画像補正処理を設定する補正管理部と、この画像補正処理を前記撮影画像メディアから取得されたプリント用画像データに対して行うことで所望の写真プリントを作製する写真プリント装置に関する。
【０００２】
【従来の技術】
従来の前述したタイプの写真プリント装置では、撮影画像メディアが写真フィルムの場合、写真フィルムをフィルムスキャナにセットし、プレスキャンによって読み取られたコマ画像単位の低解像度の画像データをプレジャッジ用画像データとしてシミュレート画像生成部に転送し、そこで生成されたプリント出力画像に対応するシミュレート画像をモニタに表示させ、オペレータはその表示されたシミュレート画像をみて、適切なプリント仕上がりになるように、必要に応じて色調補正等の画像補正処理を設定する。このような作業はプレジャッジ作業と呼ばれている。その後、本スキャンで読み取られたプリント用画像データとしての高解像度の画像データに対してプレジャッジで設定された画像補正処理を施した後プリントデータに変換され、印画紙等の写真記録シートにコマ画像を形成するプリント部に送られる。撮影画像メディアがデジタルカメラによる撮影画像データを格納しているスマートメディアなどの半導体メモリの場合、スキャニングの工程は省かれ、通常は高解像度の撮影画像データから解像度変換によって低解像度のプレジャッジ用画像タが作り出され、シミュレート画像生成部に転送される。プレジャッジ作業の後に行われるプリント工程に用いられるプリント用画像データには撮影画像データがそのまま流用されるか、あるいは、プリントサイズに応じて適当な解像度変換がなされる。
【０００３】
【発明が解決しようとする課題】
いずれにせよ、プレジャッジ作業を行うことにより品質の安定した写真プリントを作製することが可能となるが、場合によっては生じる不適切な画像補正やその後のプリント工程でのトラブルによって写真プリントが十分な品質に達していない場合がある。このような写真プリントのやり直しにあたっては、従来の装置では、再度撮影画像メディアからプレジャッジ用画像データを作り出すことによりプレジャッジ作業をやり直す必要があった。また、後日顧客が異なる色調やトリミングなどを希望して焼き増しプリント注文を行った場合も、再度プリジャッジ作業を行うためには、撮影画像メディアからプレジャッジ用画像データを作り出す必要があった。このため、１コマだけの再プリントにおいても、プレジャッジ作業を最初から行わなければならず、再プリントの作業効率が悪かった。また、前回のプレジャッジの状況もわからないので、前回のプレジャッジと比較しながら新たにプレジャッジを行うといった作業も不可能であった。
上記実状に鑑み、本発明の課題は、以前に行われたプレジャッジ作業を簡単に再現することができる技術を提供することである。
【０００４】
【課題を解決するための手段】
上記課題を解決するため、撮影画像メディアからプレジャッジ用画像情報を取得し、当該プレジャッジ用画像情報に基づいて得られるプレジャッジ用画像データからプリント出力画像に対応するシミュレート画像をモニタに表示するために用いられるシミュレート画像データを撮影画像メディアより取得されたプレジャッジ用画像情報から生成するシミュレート画像生成部と、モニタに表示されたシミュレート画像を見ながら画像補正処理を設定する補正管理部と、この画像補正処理を前記プリント用画像データに対して行うことで所望の写真プリントを作製する写真プリント装置において、本発明では、前記プレジャッジ用画像情報と前記設定された画像補正処理を定義する画像処理コマンド履歴データと前記プリント用画像データとを組み合わせて再プレジャッジプリントファイルを作成するフォーマッター部が備えられ、前記再プレジャッジプリントファイルが読み込まれた際に、当該再プレジャッジプリントファイルから得られる前記プレジャッジ用画像データに対して画像処理コマンド履歴データにより定義された前記画像補正処理を適用したシミュレート画像をモニタに再現するとともに前記画像補正処理の再設定を可能にすることを特徴としている。
【０００５】
この構成では、プレジャッジ作業に用いられたプレジャッジ用画像情報とプレジャッジ作業において設定された画像補整処理の手順とプリント用画像データが再プレジャッジプリントファイルとして作成されるので、この再プレジャッジプリントファイルをハードディスクに一時的に格納しておいたり、ＣＤーＲなどの記録メディアに書き込んでおくことにより、いつでもプレジャッジ作業を伴う再プリントに必要なデータを、撮影画像メディアを必要とせずに、取り出すことができ、前回行われたプレジャッジ作業を迅速に再現することができ、さらには前回のプレジャッジ画面を再現することができるので、前回プリント時の補正と今回の補正の比較、つまり色調やトリミングなどの比較が容易となる。
【０００６】
撮影画像メディアが写真フィルムの場合、フィルムスキャナによる画像読み取りが必須となるが、その際プレジャッジ画像はフィルム１本分を１つの長尺画像として取り込んだものであり、それぞれのコマ画像は別に求められたコマ位置データに基づいてその長尺画像から切り出す必要がある。このため、本発明の好適な実施形態の１つでは、前記撮影画像メディアが写真フィルムであり、前記プレジャッジ用画像情報にはフィルム属性データとコマ位置データと前記写真フィルムの低解像度スキャン画像データが含まれており、前記コマ位置データを用いて前記低解像度スキャン画像データ（プレスキャン画像データ）をコマ単位に切り出して前記プレジャッジ用画像データを生成するように構成されている。コマ画像位置データは読み取られた画像データにおける濃度差に基づいてコマ画面エッジを検出することによって生成されるが、コマ画像の状態によっては、例えば夜景が被写体となっている場合、コマ画面エッジの検出が困難であり、オペレータが目で確認してコマ画面エッジを決定してコマ画像位置データを決定することもある。このように苦労して決定したコマ位置データも確実にプレジャッジ用画像情報に含まれてファイル化されるので、次回のプレジャッジ工程において再びコマ画面エッジの決定に苦労するようなことは避けられる。
【０００７】
撮影画像メディアがデジタルカメラの撮影画像メモリである場合、各コマ画像データは独立しているので、コマ位置データは必要ないが、プレジャッジに適した解像度の画像データが必要であるので、プレジャッジ用画像情報には高解像度の撮影画像データを解像度変換することによって得られた低解像度画像データを含むように構成することが好ましい。さらに、デジタルカメラの機種によって特徴的な色調をもっており、この機種間の差をプレジャッジに普遍化するためには、プレジャッジ用画像情報にそのような機種特性を表すカメラ属性データを含めることも利点をもたらす。
【０００８】
フィルム１本分の全てのコマ画像を１枚のプリントに納めたインデックスプリントが作成される場合、このインデックスプリント用の画像データをも前記再プレジャッジプリントファイルに組み込むならば、インデックスプリントの焼き増し注文が迅速に処理できる。インデックスプリントの利便性が認識されているにもかかわらず、インデックスプリント焼き増しサービスに適した技術が現状では提案されていないので、この特徴は重要である。
本発明によるその他の特徴及び利点は、以下図面を用いた実施例の説明により明らかになるだろう。
【０００９】
【発明の実施の形態】
図１には、本発明の１つの実施形態として、写真画像記録シートとしての銀塩印画紙Ｐ（以下、印画紙Ｐと称する）に対して露光処理と現像処理とを行うプリントステーション１Ｂと、このプリントステーション１Ｂで使用されるプリントデータの生成・転送などを行う操作ステーション１Ａとに分割された写真プリント装置が構成されている。この写真プリント装置はデジタルミニラボとも称せられるものであり、プリントステーション１Ｂは２つの印画紙マガジン１１に納めたロール状の印画紙Ｐを該ステーション１Ｂの内部に搬送してプリントサイズに切断すると共に、このように切断された印画紙Ｐに対し、露光処理部１２で露光を行い、この露光後の印画紙Ｐを複数の現像処理槽を有した現像処理部１３に送って現像する。乾燥の後に装置上部の横送りコンベア１４からソータ１５に送られた印画紙、つまり写真プリントＰは、このソータ１５の複数のトレイ１５ａに対してオーダ単位で仕分けられた状態で集積される。
【００１０】
露光処理部１２は、操作ステーション１Ａから送られてくるプリントデータに基づいて印画紙Ｐを送りながらＲ（赤）、Ｇ（緑）、Ｂ（青）の３原色の光線の露光を行う露光ヘッド（図示せず）を備えており、露光時には印画紙Ｐを副走査方向に搬送しながら、この搬送速度と同期して主走査方向に沿ったライン状に露光を行うよう構成されている。尚、露光ヘッドとしては、露光仕様に応じて、蛍光ビーム方式、液晶シャッター方式、ＤＭＤ方式又はＦＯＣＲＴ方式の採用が可能である。又、前記現像処理部１３は露光後の印画紙Ｐを複数の現像処理槽に対して連続的に送るよう多数の圧着ローラ（図示せず）を有した搬送系を備えている。
【００１１】
前記操作ステーション１Ａは、操作テーブル１６を設けたデスク状コンソールの上部位置に写真フィルムＦがもつ撮影画像情報を取得するフィルム読取部２Ａと、各種情報を表示するＣＲＴディスプレイ（以下単にモニタと呼ぶ）１７とを備えている。さらに操作テーブル１６上にはこの写真プリント装置を操作するための操作コマンドを入力するための操作キーを有するキーボード１８とマウス１８ａが配置されている。また、この操作テーブル１６の下方には、スキャナ２０で写真フィルム２から読み取られた画像情報の処理やプリントデータの生成、プリントステーション１Ｂの制御を行うコントローラ４として機能する汎用コンピュータが備えられている。この汎用コンピュータ４にはデジタルカメラの撮影画像メモリとして用いられているスマートメディアやコンパクトフラッシュなどから撮影画像情報を取得するメディアリーダ２Ｂと、コントローラ４によって作り出された情報を格納する外部記憶装置３が、詳しくは情報を一時的に格納するハードディスクドライブ３０や情報を半永久的に格納するＣＤーＲドライブ３１が備えられている。
【００１２】
フィルム読取部２Ａには、図２に模式的に示されているようにフィルムに形成された撮影画像をデジタル信号化するフィルムスキャナ（以下単にスキャナと呼ぶ）２０以外に、潜像化されたＤＸコードなどのフィルム属性データを読み取るバーコードリーダ２１や磁気記録層を備えたフィルムから磁気記録されたフィルム属性データを読み取る磁気リーダ２２が備えられている。スキャナ２０は、フィルム読取部２Ａのフィルム搬送ラインの上方に位置する光源２０ａと、フィルム搬送ラインの下側でこれに対して直交する方向に延びたスリット２０ｂの下方に位置する光学レンズ２０ｃとこの光学レンズ２０ｃによって結像されたフィルムＦの透過光を光電変換するＣＣＤ型のセンサユニット２０ｄを備えている。
【００１３】
現像済みのフィルムＦから撮影画像情報を読み込む際には、フィルム読取部２ＡにセットされたフィルムＦを搬送しながら、この搬送速度と同期してセンサユニットでフィルム透過光を主走査方向に沿って１ラインずつＲ（赤）、Ｇ（緑）、Ｂ（青）に色分解した後光電変換して、Ｒ（赤）、Ｇ（緑）、Ｂ（青）夫々の輝度データからなる撮影画像データがコントローラ４に転送される。このスキャナ２０は、プレスキャン時には低解像度スキャン画像データ（プレスキャン画像データ）を得るためフィルム１本分を連続的に低解像度で読み取る。このプレスキャン画像データは、コントローラ４によって濃度差に基づいてコマ画像毎に切り出されてプレジャッジ用画像データとなるが、その切り出し時に求められたコマ位置情報をコマ位置データとした後で行われる本スキャン時に利用される。被写体によっては撮影画面領域と非撮影画面領域との間で濃度差がほとんどなく機械的にコマ画像エッジが検出されないことがあるが、その場合はオペレータによる目視判断でコマ位置データを入力することも可能である。
【００１４】
ＤＸコード等のフィルム属性データがバーコードで与えられているようなフィルムＦがスキャン対象である場合、プレスキャンと同時に、フィルムコードリーダ２１によってそのフィルム属性データが読み取られ、コントローラ４に転送される。ＤＸコード等のフィルム属性データが磁気記録層に記録されているようなフィルムＦがスキャン対象である場合、磁気リーダ２２によってフィルム属性データが読み取られ、コントローラ４に転送される。
【００１５】
高解像度での本スキャン時には、先ほど述べたコマ位置データに基づいて各コマ画像の前エッジでセンサユニット２０ｄによるスキャニングを開始し、後エッジでスキャニングを停止することで、コマ画像単位の高解像度画像データ、つまりプリント用画像データが取得されコントローラ４に転送される。
【００１６】
デジタルカメラによる撮影画像をコントローラ４に転送する場合は、使用されている撮影画像メモリに適したメディアリーダ２Ｂを通じて撮影画像情報として高解像度画像データが読み込まれるが、この高解像度画像データはプリント用画像データとして利用され、解像度変換によって低解像度化された画像データが、プレジャッジ用画像データとして利用される。
【００１７】
コントローラ４は、ＣＰＵを中核部材として、転送された写真画像データに対して種々の処理を行うための機能部がハードウエア又はソフトウエア或いはその両方で実装されているが、本発明に特に関係する機能部として、図３に示されているように、フィルム読取部２Ａやメディアリーダ２Ｂから転送された画像データを各種処理のために一時的に格納するワーキングメモリ４１、画像ソースがフィルムＦの場合、プレスキャン画像データから濃度差を考慮してコマ位置を示すコマ位置データを生成するコマ位置決定部４２、コマ位置データを用いてフィルム全体をカバーするプレスキャン画像データからコマ画像単位のプレジャッジ用画像データを作り出すコマ切り出し部４３、プレジャッジ用画像データから予想されるプリント出力画像に対応するシミュレート画像データを生成するシミュレート画像生成部４４、シミュレート画像データを利用してフィルムＦから取得した全てのコマ画像を一覧プリントするためのインデックスプリントデータを生成するインデックスプリントデータ作成部４４ａ、使用されているスキャナ２０やモニタ１７さらには露光処理部１２などの画像入出力機器の色特性を考慮してシミュレート画像を作り出すためその特性値を格納している機器特性テーブル４４ｂと、ワーキングメモリ４１に展開されている画像データに対して色調補正やフィルタリング（ぼかしやシャープネスなど）やトリミングなどの各種画像処理を施す画像処理部４５、モニタ１７に表示されたシミュレート画像を見ながら画像補正処理を設定する補正管理部４６と、補正管理部４６に連係して設定された画像補正処理のコマンド履歴データを生成するコマンド履歴生成部４６ａと、シミュレート画像やその他の表示アイテムの画像データをビデオメモリに取り込むとともにこのビデオメモリに展開されたイメージをビデオコントローラによってビデオ信号に変換してモニタ１７に送るビデオ制御部４７と、本スキャンによって又は記録メディアから直接転送されてきた高解像度画像データに対してプレジャッジ時に設定された画像補正処理を施して生成したプリント用画像データをプリントステーション１Ｂの露光処理部１２に送るプリント制御部４８と、プレジャッジ用画像情報と画像処理コマンド履歴データとプリント用画像データとインデックスプリントデータなどを組み合わせて再プレジャッジプリントファイルを作成するフォーマッター部４９が挙げられる。
【００１８】
この写真プリント装置による写真プリントの作製と再プレジャッジプリントファイルの作成の手順を図４を用いて説明する。
このケースで処理対象となる撮影画像メディアは現像済みの１３５写真フィルムとする。フィルムＦがフィルム読取部２Ａにセットされると、スキャナ２０によってプレスキャン画像データが、ＤＸコードなどのフィルム属性データがバーコードリーダ２１によって読み取られワーキングメモリ４１に格納される。さらにコマ位置決定部４２がプレスキャン画像データからコマ位置データを生成する。ここでは、フィルム属性データとコマ位置データとプレスキャン（低解像度）画像データがプレジャッジ用情報を構成している。
【００１９】
続いて、コマ切り出し部４３がコマ位置データを用いてプレスキャン画像データをコマ画像単位で切り出してフィルムＦに形成されていた全ての撮影画像のためのプレジャッジ用画像データを生成する。さらに、このプレジャッジ用画像データはシミュレート画像生成部４４によって所定の処理が施されることによりシミュレート画像データとなるが、その際使用されているスキャナ２０のスキャナ特性や露光処理部１２で用いられている露光ヘッドと印画紙のタイプによって決まるプリント特性、それにシミュレート画像の表示に用いられているモニタ１７のモニタ特性などが特性テーブル４４ｂから読み出され、シミュレート画像生成過程において考慮される。
【００２０】
生成されたシミュレート画像データがビデオ制御部４７に送られることで、モニタ１７にシュミレート画像が表示されるが、オペレータはこのシミュレート画像を見ながら、必要に応じて、キーボード１８上の所定の操作キーやマウス１８ａを操作して、画像処理のための補正コマンドを補正管理部４６に入力する。補正管理部４６は入力された画像処理コマンドをシミュレート画像生成部４４に与えることでシミュレート画像データを補正し、これによりモニタ１７に表示されるシミュレート画像がオペレータの要求通りに調整される。このようにして行われる処理対象コマ画像に対するプレジャッジ作業が完了すると、このコマ画像に対して施された画像処理コマンドはコマンド履歴生成部４６ａに一時的に保持される。なお、この画像処理コマンドからなる画像処理コマンド履歴データにはオペレータ操作入力による画像補正以外に自動的に設定される画像補正に関する補正コマンドも含まれている。
【００２１】
プレジャッジ作業は種々の形態で行われるが、ここでは典型的な例を図５を用いながら簡単に説明する。
このモニタ画面では、６のコマ画像のためのシミュレート画像７０が表示されており、夫々のシミュレート画像７０の上側の枠領域７１には対応コマ画像を特定するコマ番号を示す数字が表示され、下側の補正情報枠７２にはイエローに対応して「Ｙ」、マゼンタに対応して「Ｍ」、シアンに対応して「Ｃ」の文字、及び、濃度補正情報を示すよう「Ｄ」の文字が表示され、又、この下側のプリント枚数枠７３にはプリント枚数を示す数値が表示されている。このように複数のシミュレート画像７０が表示される場合これらのシミュレート画像７０のうちの１つの周囲を取り囲む選択枠７４に目につきやすい色相を与えることで、そのシミュレート画像が選択状態にあることを明示している。モニタ画面の下辺領域にはオーダ番号と画像メディアの種別を示す枠７５が表示されている。
【００２２】
このように、モニタ１７にシミュレート画像７０が表示された状態で、例えば、キーボード１８に設定された操作キーとしてのイエローキーを操作した場合には、選択状態のシミュレート画像７０に対応する補正情報枠７２の「Ｙ」の文字を強調する表示や、文字を反転させる表示や、ブリンクさせる表示を行うことでイエロー成分を補正対象に選択していることをオペレータに認識させ、この状態でプラスキーを押し操作した場合には、押し操作した回数だけイエローの成分を段階的に増大させる画像処理コマンドが補正管理部４６で生成されてシミュレート画像生成部４４に与えられることでその画像補正処理が行われ、同様にマイナスキーを押し操作した場合には、押し操作した回数だけイエローの成分を段階的に減少させる処理が行われ、ニュートラルキーを押し操作した場合には補正前の状態に戻す処理が行われる。ぼかしやシャープネスなどのフィルタリング処理も設定されている操作キーを操作することで同様に行われる。
【００２３】
なお、トリミング処理の場合は、正確なトリミングを行うために、ここでは図示されていないが、モニタ画面に処理対象の１つのシミュレート画像７０が表示され、マウス１８ａによってトリミングカーソルを操作することでコマ画像におけるプリントすべき画像領域を設定する。このトリミングデータも、コマンド履歴作成部４６ａに保持される。
【００２４】
全てのコマ画像に対する、つまりオーダ単位でのプレジャッジ作業が完了すると、写真プリント工程が開始されるが、まずインデックスプリントデータ作成部４４ａが全てのシュミレート画像データを使ってインデックスプリントデータを作成する。同時に、スキャナ２０による本スキャンが行われ、プリント用画像データとして取得された本スキャン画像データに対して、プレジャッジで何らかの画像処理補正が設定されていた場合、画像処理部４５はコマンド履歴生成部４６ａから取り出された画像処理コマンドに基づいて画像処理が行われる。画像処理補正の有無に係わらず画像処理部４５に送られた本スキャン画像データはインデックスプリントデータとともにプリント制御部４８に送られ、プリントステーション１Ｂで使用されるフォーマットのプリントデータに変換され、写真プリント及びインデックスプリントを作製すべく、露光処理部１２に転送される。なお、この本スキャンは、プレジャッジ作業の完了後行うのではなく、プレジャッジ作業と平行して行うことも可能である。
【００２５】
プリントステーション１Ｂにおいて処理対象オーダの露光現像処理が行われている間に、このオーダに属する、プレジャッジ用画像情報（フィルム属性データ、コマ位置データ、プレスキャン画像データ）と、一連の画像処理コマンドからなる画像処理コマンド履歴データと、本スキャン画像データであるプリント用画像データと、インデックスプリントデータがフォーマッター部４９に転送される。フォーマッター部４９は、送られてきた各種データを図６に示されているように所定の形式で階層化して、再プレジャッジプリントファイルを作成し、外部記録装置３に格納する。その際、この再プレジャッジプリントファイルは、一時的な保管の目的としてはハードディスクドライブ３０に格納されるとともに、顧客による再プリント注文を便利にするための半永久的な保管の目的としてはリムーバブルディスクドライブ３１を用いてＣＤ−Ｒ等の記録メディアに格納される。
【００２６】
この再プレジャッジプリントファイルには、プレジャッジ作業を経て写真プリントを作製するための全ての情報が含まれているので、このファイルのみを使って、再度プレジャッジを行って前回と異なる補正処理を施した画像を写真プリントとして出力することが可能となる。もちろん、新たな補正処理を施さない場合には、最初と同じ品質の写真プリントが焼き増しプリント出力される。この再プレジャッジプリント作業を図７を用いて説明する。
【００２７】
ハードディスクドライブ３０又はリムーバブルディスクドライ３１に装着された記憶メディア（ＣＤ−Ｒなど）である外部記憶装置３から処理対象となる再プレジャッジプリントファイルを読み込んで、フィルム属性データはシミュレート画像生成部４４に送られ、コマ位置データはコマ切り出し部４３に送られ、画像処理コマンド履歴データはコマンド履歴生成部４６ａに送られ、プレスキャン画像データと本スキャン画像データはワーキングメモリ４１に展開される。与えられたコマ位置データに基づいてコマ切り出し部４３はプレスキャン画像データをコマ画像単位でプレジャッジ用画像データとして切り出れ、シミュレート画像生成部４４に転送される。シミュレート画像生成部４４がフィルム属性データを考慮しながら画像処理コマンド履歴データに基づいてシミュレート画像データを補正することで、前回のプレジャッジ時の最終的なプレジャッジ画像がモニタ１７に表示される。後は、図５を用いて説明したプレジャッジ作業が行われるが、必要に応じて、操作キーを操作して、新たな画像処理コマンドを入力することができる。プレジャッジ作業が完了すると、対応する本スキャンデータに対してここで設定された画像処理が施され、プリント用画像データとしてプリント制御部４８に転送される。これにより、前回と同一な写真プリント、あるいは前回と意識的に異ならせた写真プリントが作製される。
【００２８】
ここまでの、再プレジャッジプリントファイルの作成手順やその利用手順は、撮影画像メディアとして１３５フィルムを例にしたが、例えば、磁気記録層をもつＩＸ２４０フィルムの場合では、実質的にはフィルム属性データが磁気リーダ２２によって読み取られる点で異なっているだけである。撮影画像メディアがデジタルカメラの撮影画像メモリの場合、高解像度画像データとフィルム属性データの代わりであるカメラ属性データがともにメディアリーダ２６で読み込まれ、フィルム属性データに代わるカメラ属性データはシミュレート画像生成部４４に送られデジタルカメラ機種間の調整に用いられ、高解像度画像データはそのままで本スキャン画像データの代わりに用いられるとともに解像度変換により低解像度化された画像データはプレジャッジ用画像データとして用いられることになる。いずれにしても、類似の再プレジャッジプリントファイルが作成されることにより、プレジャッジをやり直して新たな写真プリントを作製する作業は容易に行われることになる。
【００２９】
なお、上記の実施の形態では、プリントステーション２Ｂとして印画紙Ｐを露光・現像して写真プリントを作製する銀塩プリンタを取りあげたが、インクジェットプリンタや熱転写プリンタ・昇華型プリンタを採用しても良い。
【図面の簡単な説明】
【図１】本発明による写真プリント装置の一例を示す外観図
【図２】フィルム読取部の構成を模式的に示す斜視図
【図３】コントローラに構築される機能部を示す機能ブロック図
【図４】プレジャッジ作業と再プレジャッジプリントファイルの作成の手順を説明する説明図
【図５】プレジャッジ時のモニタ画面を示す図
【図６】再プレジャッジプリントファイルのデータ構造図
【図７】再プレジャッジプリントの手順を説明する説明図
【符号の説明】
１Ａ  操作ステーション
１Ｂ  プリントステーション
２Ａ  フィルム読取部
２Ｂ  メディアリーダ
３    外部記憶装置
４    コントローラ
２０    スキャナ
２１    バーコードリーダ（フィルム情報リーダ）
２２    磁気リーダ（フィルム情報リーダ）
４２    コマ位置決定部
４３    コマ切り出し部
４４    シミュレート画像生成部
４５    画像処理部
４６    補正管理部
４６ａ  コマンド履歴生成部
４９    フォーマッター部
【図１】
0004936035.tif 000002
【図２】
0004936035.tif 000003
【図３】
0004936035.tif 000004
【図４】
0004936035.tif 000005
【図５】
0004936035.tif 000006
【図６】
0004936035.tif 000007
【図７】
0004936035.tif 000008